(57)【特許請求の範囲】
【請求項１】
開口する穴の近傍に記録媒体を回転自在に保持するターンテーブルを搭載したメインシャシと、
前記メインシャシの底面にスキュ部材を介して取り付けられて平行して延在する送り軸により摺動可能に支持した光ピックアップを前記穴に露出させ、前記スキュ部材の動作により傾斜して前記光ピックアップのスキュ調整を可能にしたサブシャシと、
前記メインシャシに装着されてネジ部を有して所定の駆動源により駆動して前記光ピックアップを前記送り軸に沿って摺動させるリードスクリュと、
前記光ピックアップに固定する固定部材を有し、この固定部材に遊動可能に支持されて前記リードスクリュのネジ部に螺合する遊動アームを備えるとともに、前記固定部材に装着して前記遊動アームを付勢する弾性部材を設けて、前記光ピックアップを前記リードスクリュに連結する伝達アームとを備え、
前記伝達アームの遊動アームは、前記リードスクリュに螺合する螺合部と、この螺合部から棒状に延在する軸部と、この軸部の先端に球状に形成したボールジョイント部とを備え、前記軸部及びボールジョイント部を前記固定部材に切り欠いた嵌入部に嵌入することで前記軸部を軸とする回転及び前記嵌入部に沿った上下の動作を可能に設け、前記スキュ部材により前記サブシャシが傾斜して前記光ピックアップと前記リードスクリュとの相対位置が変化することで加わる荷重（負荷）を前記回転及び上下動により吸収して一定の係合力で連結させることを特徴とする光ピックアップ送り装置。
【請求項２】
請求項１に記載の光ピックアップ送り装置において、
前記遊動アームは、前記弾性部材により付勢して前記リードスクリュを前記サブシャシに引き付けて前記メインシャシから前記サブシャシが離れる荷重変化を少なく抑えてガタを防止することを特徴とする光ピックアップ送り装置。
【請求項３】
請求項１に記載の光ピックアップ送り装置において、
前記遊動アームは、前記ピックアップのラジアル方向及びタンジェンシャル方向のスキュ調整に応じて前記軸部を軸とする回転及び前記嵌入部に沿った上下の動作を行い荷重を吸収することを特徴とする光ピックアップ送り装置。
【請求項４】
請求項１に記載の光ピックアップ送り装置において、
前記固定部材の嵌入部内には、前記遊動アームのボールジョイント部が前記弾性部材の付勢により所定方向に摺動してガタを防止する傾斜した受け面を設けたことを特徴とする光ピックアップ送り装置。
【請求項５】
請求項１に記載の光ピックアップ送り装置において、
前記ボールジョイント部は、中心に切り欠きを設けて前記嵌入部内で外側に付勢するように設けることでガタを防止することを特徴とする光ピックアップ送り装置。
【請求項６】
請求項１に記載の光ピックアップ送り装置において、
前記固定部材には、前記嵌入部の近傍両側にほぼ半円状に突出して前記遊動アームの前記嵌入部に沿った上下の動作を案内するリブを設けたことを特徴とする光ピックアップ送り装置。
【請求項７】
請求項６に記載の光ピックアップ送り装置において、
前記リブは、前記嵌入部の両側に突出して前記遊動アームを上下に案内するとともに、この突出する両側いずれか一方に切り欠き部を設けて弾性を備えて付勢するように形成することで、前記遊動アームが前記上下の動作に加えて左右両側に回動して前記光ピックアップの前記送り軸が送り方向に対して左右両側に傾く際に加わる荷重変動を吸収できるように設けたことを特徴とする光ピックアップ送り装置。
【請求項８】
請求項１に記載の光ピックアップ送り装置において、
前記駆動源は、モータと、このモータの回転を減速するギヤ列とからなり、前記リードスクリュとともに前記メインシャシに装着していることを特徴とする光ピックアップ送り装置。
【請求項９】
請求項１に記載の光ピックアップ送り装置において、
前記記録媒体は、ＣＤ−ＲＯＭ、ＤＶＤ、ＭＤなどの光ディスクであることを特徴とする光ピックアップ送り装置。
【発明の詳細な説明】
【０００１】
【発明の属する技術分野】
本発明は、光ピックアップ送り装置に係り、より詳細にはメインシャシに対してサブシャシを傾ける光ピックアップのスキュ調整時に光ピックアップとリードスクリュとの係合を好適に維持する光ピックアップ送り装置に関する。
【０００２】
【従来の技術】
近年、例えば、ＣＤ−ＲＯＭ、ＤＶＤ、ＭＤなどの光ディスク（以下、ディスクと称す）を記録または再生するディスク再生装置には、ターンテーブルを設けてディスクを載置したメインシャシに対して送り軸に光ピックアップを支持したサブシャシを配置して傾けることで、光ピックアップのスキュ調整を可能にした構造がよく用いられている。従来、このディスク再生装置には、サブシャシとともに傾斜する光ピックアップをリードスクリュに係合させて送り軸に沿って良好に摺動させる光ピックアップ送り装置を備えていた。図１０は、このような光ピックアップをリードスクリュにより摺動させる従来の光ピックアップ送り装置の一実施形態を示す構成図である。また、図１１は、従来の光ピックアップ送り装置の他の実施形態を示す構成図である。また、図１２は、従来の光ピックアップ送り装置の更なる他の実施形態を示す構成図である。
【０００３】
図１０に示すように、光ピックアップをリードスクリュにより摺動させる従来の光ピックアップ送り装置の一実施形態は、ディスクを再生又は記録するディスク再生装置の本体内（図示せず）に収納されており、開口する穴６０ａの近傍にディスクを回転自在に保持するターンテーブル６１を搭載したメインシャシ６０と、このメインシャシ６０の底面にスキュ部材７４を介して取り付けられて平行して延在する送り軸７１により摺動可能に支持した光ピックアップ７２を穴６０ａに露出させてスキュ部材７４の動作により傾斜して光ピックアップ７２のスキュ調整を可能にしたサブシャシ７０とを備えている。
【０００４】
ここで、サブシャシ７０は、スキュ部材７４を介してメインシャシ６０に弾性体７５により引き付けるように支持されている。また、スキュ部材７４は、略タマゴ形状を備えてサブシャシ７０に回転可能に支持し、メインシャシ６０に係合してサブシャシ７０を図１０に示したＸ方向に対して傾斜させるラジアル調整カム７４ａと、サブシャシ７０を図１０に示したＹ方向に対して傾斜させるタンジェンシャル調整カム７４ｂとを備えている。また、サブシャシ７０には、光ピックアップ７２を摺動させるリードスクリュ７６と、このリードスクリュ７６を駆動させる駆動源７７とを載置している。この駆動源７７は、回転力を与えるモータ７７ａと、このモータ７７ａの回転を減速するギヤ列７７ｂとを備えている。そして、光ピックアップ７２は、リードスクリュ７６に板バネ７３（または樹脂バネ）を介して連結している。
【０００５】
従って、サブシャシ７０は、光ピックアップ７２、送り軸７１、リードスクリュ７６、駆動源７７、及びスキュ部材７４を載置しており、スキュ部材７４を回転させてサブシャシ７０を傾斜させるスキュ調整時に、送り軸７１とリードスクリュ７６との相対位置が不変になるように形成している。これにより光ピックアップ７２は、サブシャシ７０が傾斜するスキュ調整時にも、板バネ７３を介してリードスクリュ７６から良好に駆動源７７の回転力を伝達することができる。
しかしながら、このサブシャシ７０では、多くの載置部品、特に、モータ７７ａ及びギヤ列７７ｂなどの重くて大きい部品を複数載置しているため、この重さで弾性体７５により引き付けたメインシャシ６０から離れてしまい耐振特性が悪くなるとともにスペース的にも不利になるという不具合があった。
【０００６】
そこで、従来の光ピックアップ送り装置には、サブシャシに載置したモータ、ギヤ列、及びリードスクリュをメインシャシに載置した構造がある。まず、モータ及びギヤ列をメインシャシに載置した従来の光ピックアップ送り装置の他の実施形態は、図１１に示すように、モータ８３ａ及びギヤ列８３ｂからなる駆動源８３をメインシャシ８０に配置して耐振特性やスペース的に向上させている。そして、ギヤ列８３ｂは、メインシャシ８０にサブシャシ９０を弾性体９５により引き付けて装着する際、リードスクリュ９６に螺合して動力を伝達できるようになる。また、ギヤ列８３ｂは、スキュ部材９４の回転によりサブシャシ９０を傾斜させるスキュ調整時にリードスクリュ９６との相対位置が変化して外れないように所定の余裕を保持して噛み合う構造に形成している。
【０００７】
一方、これとは異なり、モータ及びギヤ列とともにリードスクリュをメインシャシに載置した従来の光ピックアップ送り装置の更なる他の実施形態が知られている。この光ピックアップ送り装置は、図１２に示すように、モータ１０３ａ及びギヤ列１０３ｂからなる駆動源１０３とリードスクリュ１０２とをメインシャシ１００に配置し、光ピックアップ１１２を平行に延在する送り軸１１１によりサブシャシ１１０に配置している。そして、リードスクリュ１０２は、メインシャシ１００にサブシャシ１１０を弾性体１１５により引き付けて装着する際、光ピックアップ１１２の板バネ１１３が螺合して動力を伝達できるようになる。従って、従来の光ピックアップ送り装置の更なる他の実施形態は、図１０及び図１１に示した光ピックアップ送り装置に比べてサブシャシ１１０に載置する部品を一層削減でき耐振特性やスペース的に向上させることができる。ここで、光ピックアップ１１２の板バネ１１３は、スキュ部材１１４の回転によりサブシャシ１１０を傾斜させるスキュ調整時に、リードスクリュ１０２との相対位置が変化して外れないように所定の付勢力で当接させて螺合するように形成している。
【０００８】
このように、従来の光ピックアップ送り装置は、図１１及び図１２に示したように、モータ、ギヤ列、及びリードスクリュをメインシャシに配置してサブシャシに載置する部品を低減して荷重が加わることを防止することで、耐振特性やスペース的に向上させていた。
【０００９】
【発明が解決しようとする課題】
しかしながら、従来の光ピックアップ送り装置では、図１１に示したメインシャシ８０にモータ８３ａ及びギヤ列８３ｂからなる駆動源８３を配置した場合、ギヤ列８３ｂとリードスクリュ９６とをスキュ調整時に外れないように所定の余裕を保持して噛み合せるため、ギヤ同士の噛み合いが変化して、耐久性、異音、バックラッシュなどの点で不利になるという不具合があった。
また、従来の光ピックアップ送り装置では、図１２に示したメインシャシ１００にモータ１０３ａ、ギヤ列１０３ｂ、及びリードスクリュ１０２を配置した場合、板バネ１１３がスキュ調整時にリードスクリュ１０２から外れないように所定の付勢力により当接させて螺合しているため、スキュ調整時に板バネ１１３（または樹脂バネ）の荷重変動が激しく、耐久性及び光ピックアップ１１２の追従性が悪くなるという不具合があった。
本発明はこのような課題を解決し、光ピックアップに動力を良好に伝達でき耐久性、追従性を向上させ異音、バックラッシュを防止する光ピックアップ送り装置を提供することを目的とする。
【００１０】
【課題を解決するための手段】
本発明は上述の課題を解決するために、開口する穴の近傍に記録媒体を回転自在に保持するターンテーブルを搭載したメインシャシと、このメインシャシの底面にスキュ部材を介して取り付けられて平行して延在する送り軸により摺動可能に支持した光ピックアップを穴に露出させてスキュ部材の動作により傾斜して光ピックアップのスキュ調整を可能にしたサブシャシと、メインシャシに装着されてネジ部を有して所定の駆動源により駆動して光ピックアップを送り軸に沿って摺動させるリードスクリュと、光ピックアップに固定する固定部材を有しこの固定部材に遊動可能に支持されてリードスクリュのネジ部に螺合する遊動アームを備えるとともに固定部材に装着して遊動アームを付勢する弾性部材を設けて光ピックアップをリードスクリュに連結する伝達アームとを備え、伝達アームの遊動アームは、リードスクリュに螺合する螺合部と、この螺合部から棒状に延在する軸部と、この軸部の先端に球状に形成したボールジョイント部とを備え、軸部及びボールジョイント部を固定部材に切り欠いた嵌入部に嵌入することで軸部を軸とする回転及び嵌入部に沿った上下の動作を可能に設け、スキュ部材によりサブシャシが傾斜して光ピックアップとリードスクリュとの相対位置が変化することで加わる荷重（負荷）を回転及び上下動により吸収して一定の係合力で連結する。
【００１１】
ここで、遊動アームは、弾性部材により付勢してリードスクリュをサブシャシに引き付けてメインシャシからサブシャシが離れる荷重変化を少なく抑えてガタを防止することが好ましい。また、遊動アームは、ピックアップのラジアル方向及びタンジェンシャル方向のスキュ調整に応じて軸部を軸とする回転及び嵌入部に沿った上下の動作を行い荷重を吸収することが好ましい。また、固定部材の嵌入部内には、遊動アームのボールジョイント部が弾性部材の付勢により所定方向に摺動してガタを防止するように傾斜した受け面を設けることが好ましい。また、ボールジョイント部は、中心に切り欠きを設けて嵌入部内で外側に付勢するように設けることでガタを防止することが好ましい。また、固定部材には、嵌入部の近傍両側にほぼ半円状に突出して遊動アームの嵌入部に沿った上下の動作を案内するリブを設けることが好ましい。また、リブは、嵌入部の両側に突出して遊動アームを上下に案内するとともに、この突出する両側いずれか一方に切り欠き部を設けて弾性を備えて付勢するように形成することで、遊動アームが上下の動作に加えて左右両側に回動して光ピックアップの送り軸が送り方向に対して左右両側に傾く際に加わる荷重変動を吸収できるように設けることが好ましい。また、駆動源は、モータと、このモータの回転を減速するギヤ列とからなり、リードスクリュとともにメインシャシに装着することが好ましい。また、記録媒体は、ＣＤ−ＲＯＭ、ＤＶＤ、ＭＤなどの光ディスクであることが好ましい。
【００１２】
【発明の実施の形態】
次に、添付図面を参照して本発明による光ピックアップ送り装置の実施の形態を詳細に説明する。図１は、本発明による光ピックアップ送り装置の実施の形態を示す構成図である。また、図２は、図１に示した伝達アーム２３の詳細を示す分解斜視図である。また、図３は、図２に示したＣ−Ｃ線の断面を示す断面図である。また、図４は、図１に示した光ピックアップ送り装置を組み立てた状態を示す図である。また、図５は、図４に示したＤ−Ｄ線の断面を示す断面図である。また、図６は、図４に示したＥ−Ｅ線の断面を示す断面図である。また、図７は、図１に示した伝達アーム２３のスキュ調整時における動作を示す動作説明図であり、図７（ａ）は図１に示した矢印Ａ方向から見た動作を、図７（ｂ）は図１に示した矢印Ｂ方向から見た動作を各々示している。また、図８は、図２に示した伝達アームの他の実施例を示す図である。また、図９は、図２に示した伝達アームの更なる他の実施例を示す図である。
【００１３】
図１に示すように、本発明による光ピックアップ送り装置の実施の形態は、図１０に示した従来技術と同様に、光ディスク（以下、ディスクと称す）を再生又は記録するディスク再生装置の本体内（図示せず）に収納されており、開口する穴１０ａの近傍にディスク１（図４参照）を回転自在に保持するターンテーブル１１を搭載したメインシャシ１０と、このメインシャシ１０の底面にスキュ部材２４を介して取り付けられて平行して延在する送り軸２１により摺動可能に支持した光ピックアップ２２を穴１０ａに露出させてスキュ部材２４の動作により傾斜して光ピックアップ２２のスキュ調整を可能にしたサブシャシ２０とを備えている。
【００１４】
ここで、サブシャシ２０は、スキュ部材２４を介してメインシャシ１０に弾性体２５により引き付けるように支持されている。また、スキュ部材２４は、略タマゴ形状を備えてサブシャシ２０に回転可能に支持し、メインシャシ１０に係合してサブシャシ２０を図１に示したＸ方向に対して傾斜させるラジアル調整カム２４ａと、サブシャシ２０を図１に示したＹ方向に対して傾斜させるタンジェンシャル調整カム２４ｂとを備えている。このラジアル調整カム２４ａは、光ピックアップ２２を支持する平行に延在した片側の送り軸２１両端に設けられており、回転により位相及び変位が送り軸２１の両端で各々異なって得られるように配置されている。また、タンジェンシャル調整カム２４ｂは、ラジアル調整カム２４ａを設けた送り軸２１に対して平行に延在する他方の送り軸２１の近傍に設けられ、ラジアル調整カム２４ａと同様に回転することで位相及び変位が得られるように形成している
また、メインシャシ１０には、図１２に示した従来技術と同様に、モータ１３ａ及びギヤ列１３ｂからなる駆動源１３とリードスクリュ１２とを搭載することで、サブシャシ２０に載置する部品を削減して耐振特性やスペース的に向上させている。そして、リードスクリュ１２は、メインシャシ１０にサブシャシ２０を弾性体２５により引き付けるように装着する際、光ピックアップ２２と連結して動力を伝達するように形成している。ここで、リードスクリュ１２に光ピックアップ２２を連結する場合、図１２に示した従来技術とは異なり、板バネまたは樹脂バネを用いることなく、伝達アーム２３により連結して動力を伝達するように形成している。
【００１５】
この伝達アーム２３は、図２に示すように、光ピックアップ２２の側面に固定する固定部材３２と、この固定部材３２に遊動可能に支持されてリードスクリュ１２（図１参照）のネジ部に螺合する遊動アーム２３と、固定部材３２に装着して遊動アーム３３を付勢するコイルスプリングからなる弾性部材３４とにより形成されている。ここで、固定部材３２は、光ピックアップ２２の側面に突出して略中央部に凹状に切り欠いた嵌合部３２ａを備えている。また、固定部材３２は、嵌合部３２ａを形成した片側両端に略半円状に突出するリブ３２ｂを各々形成している。一方、遊動アーム３３は、略コ字状に突出してリードスクリュ１２に螺合する螺合部３３ａと、この螺合部３３ａから棒状に延在する軸部３３ｂと、この軸部３３ｂの先端に球状に形成したボールジョイント部３３ｃとを一体に形成している。この螺合部３３ａは、図３に示すように、略コ字状の内部にリードスクリュ１２と螺合する突起部３３ｄを形成している。そして、この遊動アーム３３は、図２に示したように、軸部３３ｂ及びボールジョイント部３３ｃを固定部材３２の切り欠いた嵌入部３２ａに嵌入して弾性部材３４により付勢している。これにより遊動アーム３３は、固定部材３２に支持されて図２に示した軸部３３ｂを軸とするＸ方向の回転及び嵌入部３２ａに沿ったＺ方向の上下動作を可能にしている。
【００１６】
そして、伝達アーム２３は、図１に示したメインシャシ１０にサブシャシ２０を弾性体２５により引き付けるように装着する際、図４に示すように、リードスクリュ１２に螺合させることで光ピックアップ２２を送り軸２１に沿って摺動させることが可能になる。この際、光ピックアップ２２は、ターンテーブル１１に載置したディスク１の半径、即ち、内周から外周間のデータゾーンＧを摺動して所定の情報を記録又は再生する。また、伝達アーム２３は、図５に示すように、固定部材３２に弾性部材３４を装着して遊動アーム３３を斜め方向の力Ｆにより付勢している。これにより伝達アーム２３は、図１に示したリードスクリュ１２をサブシャシ２０側に引き付けてメインシャシ１０からサブシャシ２０が離れる荷重変化を少なくし、且つ、図５に示したＸ方向のガタ付きも同時に防止している。さらに、伝達アーム２３は、図６に示すように、固定部材３２の嵌入部３２ａ内にボールジョイント部３３ｃを受ける傾斜した受け面３２ｃを設けている。従って、伝達アーム２３は、弾性部材３４（図５参照）が遊動アーム３３を前述した斜め方向の力Ｆで付勢してボールジョイント部３３ｃを受け面３２ｃに沿って斜めに摺動させるため、図６に示したＹ方向のガタ付きを防止できる。
【００１７】
次に、このように形成された本発明による光ピックアップ送り装置の実施の形態の動作について詳細に説明する。まず、光ピックアップ２２のラジアルスキュ調整を実行した場合、図１に示したラジアル調整カム２４ａが回転してサブシャシ２０をＸ方向に対して傾斜させる。この際、光ピックアップ２２と送り軸２１とは、リードスクリュ１２に対して傾斜することで相対位置が変化する。これと同時に伝達アーム２３は、図７（ａ）に示すように、固定部材３２に支持された遊動アーム３３がＸ方向に回転して光ピックアップ２２とリードスクリュ１２との相対位置の変化によって加わる荷重（負荷）を吸収する。
【００１８】
一方、光ピックアップ２２のタンジェンシャルスキュ調整を実行した場合、図１に示したタンジェンシャル調整カム２４ｂが回転してサブシャシ２０をＹ方向に対して傾斜させる。この際、光ピックアップ２２と送り軸２１とは、リードスクリュ１２に対して傾斜することで相対位置が変化する。これと同時に伝達アーム２３は、図７（ｂ）に示すように、遊動アーム３３が固定部材３２の略半円状のリブ３２ｂに沿ってＺ方向に回動することで光ピックアップ２２とリードスクリュ１２との相対位置の変化によって加わる荷重（負荷）を吸収する。ここで、遊動アーム３３は、固定部材３２に嵌入したボールジョイント部３３ｃを中心として螺合部３３ａをリブ３２ｂに沿ってＺ方向に回動させるとともに、この回動を弾性部材３４（図示せず）により付勢してメインシャシ１０からサブシャシ２０が離れる荷重変化を少なくしている。
【００１９】
このように本発明による光ピックアップ送り装置の実施の形態によると、遊動アーム３３の螺合部３３ａが光ピックアップ２２のラジアル方向及びタンジェンシャル方向のスキュ調整時に図７に示したＸ方向とＺ方向とに回動して荷重を吸収するため、リードスクリュ１２との螺合状態が変化せず耐久性を向上でき、異音、バックラッシュを防止することができる。
また、本発明による光ピックアップ送り装置の実施の形態によると、前述したようにリードスクリュ１２との螺合状態が変化しないため、荷重変動が少なくリードスクリュ１２から駆動力を良好に伝達できるとともに、光ピックアップ２２の追従性を向上させることができる。
【００２０】
ここで、伝達アーム２３は、図２に示した固定部材３２の嵌入部３２ａにボールジョイント部３３ｃを嵌入して遊動アーム３３を支持した実施例を説明したが、これに限定されるものではなく、例えば、ボールジョイント部に弾性をもたせて嵌入部内で付勢させてガタ付きを防止しても良い。このような伝達アームの他の実施例は、図８に示すように、遊動アーム４３のボールジョイント部４３ｃに略中心部を切り欠いて弾性を備えた切り欠き部４３ｅを設けている。従って、この伝達アーム４０は、遊動アーム４３のボールジョイント部４３ｃが固定部材４２の嵌入部４２ａ内で図８に示した外側に付勢する力Ｆを加えてガタを防止する。この際、固定部材４２の嵌入部４２ａ内には、外側に付勢する力Ｆによりボールジョイント部４３ｃを固定部材４２側、即ち、Ｙ方向に引き付ける傾斜した受け面４２ｃを設けることで、より効果的にガタ付きを抑えている。
【００２１】
このような伝達アームの他の実施例によれば、固定部材４２に遊動アーム４３をボールジョイント部４３ｃにより回動可能に支持しているため、図２に示した伝達アームと同様の効果を得られるとともに、このボールジョイント部４３ｃに切り欠き部４３ｅを設けて嵌入部４２ａ内で付勢させることで図２に示した伝達アームに比べてより効果的にガタ付きを防止できる。
【００２２】
また、伝達アームは、遊動アームが図７に示したＸ方向及びＺ方向に回動する実施例を説明したが、これに限定するものではなく、例えば、図９に示すように、Ｙ方向にも回動させても良い。このような伝達アームの更なる他の実施例は、図９に示したように、固定部材５２から一対に突出する略半円状のリブ５２ｂのいずれか一方に切り欠いた切り欠き部５２ｄを設けて弾性を備えて付勢するように形成している。従って、この伝達アーム５０は、遊動アーム５３が図９に示したＸ方向及びＺ方向に加えてＹ方向にも回動するため、光ピックアップ２２の送り軸２１が送り方向に対して左右両側のＹ方向に傾くことで加わる荷重変動を吸収することが可能になる。
【００２３】
このように伝達アームの更なる他の実施例によれば、図９に示したように、遊動アーム５３をＸ方向及びＺ方向に回動可能に支持しているため、図２に示した伝達アームと同様の効果が得られるとともに、この遊動アーム５３がＸ方向及びＺ方向に加えてＹ方向にも回動することで光ピックアップ２２の傾きに対するほぼ全ての方向に加わる荷重変動を吸収することが可能になる。
【００２４】
以上、本発明による光ピックアップ送り装置の実施の形態を詳細に説明したが、本発明は前述した実施の形態に限定されるものではなく、その要旨を逸脱しない範囲で変更可能である。
例えば、伝達アームの固定部材に遊動アームを図２に示したコイルスプリングからなる弾性部材により付勢した実施の形態を説明したが、これに限定されるものではなく、板バネなどの弾性を備える弾性部材を用いても良い。
また、スキュ部材としてラジアル調整カム及びタンジェンシャル調整カムなどのタマゴ状のカムを用いた実施の形態を説明したが、これに限定されるものではなく、例えば、サブシャシを介してメインシャシに締結したネジの締結状態によりサブシャシが傾くように設けても良い。
【００２５】
【発明の効果】
このように本発明による光ピックアップ送り装置によれば、光ピックアップとリードスクリュとの相対位置が変化する光ピックアップのスキュ調整時に伝達アームが遊動して荷重を吸収しながら光ピックアップとリードスクリュとを連結するため、リードスクリュでの螺合状態が変化せず調整範囲を広くとれるとともに、サーチ精度及び耐久性を向上して、異音、バックラッシュの発生を防止することができる。
また、本発明による光ピックアップ送り装置によれば、前述したようにリードスクリュでの螺合状態が変化しないため、荷重変動が少なくリードスクリュから駆動力を良好に光ピックアップに伝達して精度の高い送りが可能になるとともに、光ピックアップの追従性を向上させることができる。
【図面の簡単な説明】
【図１】本発明による光ピックアップ送り装置の実施の形態を示す構成図。
【図２】図１に示した伝達アームの詳細を示す分解斜視図。
【図３】図２に示したＣ−Ｃ線の断面を示す断面図。
【図４】図１に示した光ピックアップ送り装置を組み立てた状態を示す図。
【図５】図４に示したＤ−Ｄ線の断面を示す断面図。
【図６】図４に示したＥ−Ｅ線の断面を示す断面図。
【図７】図１に示した伝達アームのスキュ調整時における動作を示す動作説明図。
【図８】図２に示した伝達アームの他の実施例を示す図。
【図９】図２に示した伝達アームの更なる他の実施例を示す図。
【図１０】従来の光ピックアップ送り装置の一実施形態を示す構成図。
【図１１】従来の光ピックアップ送り装置の他の実施形態を示す構成図。
【図１２】従来の光ピックアップ送り装置の更なる他の実施形態を示す構成図。
【符号の説明】
１    ディスク
１０    メインシャシ
１０ａ  穴
１１    ターンテーブル
１２    リードスクリュ
１３    駆動源
１３ａ  モータ
１３ｂ  ギヤ列
２０    サブシャシ
２１    送り軸
２２    光ピックアップ
２３    伝達アーム
２４    スキュ部材
２４ａ  ラジアル調整カム
２４ｂ  タンジェンシャル調整カム
２５    弾性体
３２    固定部材
３２ａ  嵌合部
３２ｂ  リブ
３３    遊動アーム
３３ａ  螺合部
３３ｂ  軸部
３３ｃ  ボールジョイント部
３４    弾性部材
【図１】
0003751217.tif 000002
【図２】
0003751217.tif 000003
【図３】
0003751217.tif 000004
【図４】
0003751217.tif 000005
【図５】
0003751217.tif 000006
【図６】
0003751217.tif 000007
【図７】
0003751217.tif 000008
【図８】
0003751217.tif 000009
【図９】
0003751217.tif 000010
【図１０】
0003751217.tif 000011
【図１１】
0003751217.tif 000012
【図１２】
0003751217.tif 000013